(57)【要約】【課題】  外部装置から撮像装置に電力が供給されている場合に、動画撮影などの動作を継続しながら電池を外したり交換したりすることができるようにする。【解決手段】  撮像装置（１００）は、外部装置から撮像装置に供給された電力を受け取る受電手段と、電池が格納される格納部を覆うための蓋が開いていることを検出する検出手段と、外部装置から撮像装置に電力が供給されていない場合に蓋が開いていることが検出された場合は、撮像装置をシャットダウンするための制御を行い、外部装置から撮像装置に電力が供給されている場合に蓋が開いていることが検出された場合は、蓋が開いていることが検出された場合における動作を継続するための制御を行う制御手段とを有する。【選択図】  図３
2019184901.tif 000002
【特許請求の範囲】
【請求項１】
撮像装置であって、
外部装置から前記撮像装置に供給された電力を受け取る受電手段と、
電池が格納される格納部を覆うための蓋が開いていることを検出する検出手段と、
前記外部装置から前記撮像装置に電力が供給されていない場合に前記蓋が開いていることが検出された場合は、前記撮像装置をシャットダウンするための制御を行い、前記外部装置から前記撮像装置に電力が供給されている場合に前記蓋が開いていることが検出された場合は、前記蓋が開いていることが検出された場合における動作を継続するための制御を行う制御手段と
を有することを特徴とする撮像装置。
【請求項２】
前記蓋が開いている状態で給電された電圧が閾値以上である場合は、前記蓋が開いていることをユーザに通知するための制御を行うことを特徴とする請求項１に記載の撮像装置。
【請求項３】
前記蓋が開いている状態で給電された電圧が閾値未満である場合は、前記電池を前記撮像装置から取り外すことができないことをユーザに通知するための制御を行うことを特徴とする請求項１または２に記載の撮像装置。
【請求項４】
前記撮像装置が所定の動作を行っている場合に、前記蓋が開いている状態でも動作を継続するための制御を行う請求項１乃至３のいずれか１項に記載の撮像装置。
【請求項５】
所定の動作は、動画撮影であることを特徴とする請求項４に記載の撮像装置。
【請求項６】
所定の動作は、静止画撮影であることを特徴とする請求項４に記載の撮像装置。
【請求項７】
所定の動作は、画像転送であることを特徴とする請求項４に記載の撮像装置。
【発明の詳細な説明】
【技術分野】
【０００１】
本発明は、外部装置から供給された電力を受け取ることができる撮像装置などに関するものである。
【背景技術】
【０００２】
デジタルカメラなどの撮像装置は、外部装置とのインターフェースとして、ＵＳＢ（Ｕｎｉｖｅｒｓａｌ  Ｓｅｒｉａｌ  Ｂｕｓ）インターフェースを有する。ＵＳＢインターフェースは、外部装置との間でデータ通信を行うほか、外部装置から電力供給を受けることが可能である。
【発明の概要】
【発明が解決しようとする課題】
【０００３】
外部装置から撮像装置に電力が供給されている場合に、動画撮影などの動作を継続しながら電池を外したり交換したりしたいケースが想定される。例えば、第１のケースは、撮像装置で動画撮影などの動作を継続しながら電池を取り外して充電器で充電するケースが想定される。例えば、第２のケースは、電池およびＵＳＢ装置のいずれか一方を補助電源として取り扱うケースが想定される。
【０００４】
そこで、本発明は、外部装置から撮像装置に電力が供給されている場合に、動画撮影などの動作を継続しながら電池を外したり交換したりすることができるようにすることを目的とする。
【課題を解決するための手段】
【０００５】
本発明に係る撮像装置は、撮像装置であって、外部装置から前記撮像装置に供給された電力を受け取る受電手段と、電池が格納される格納部を覆うための蓋が開いていることを検出する検出手段と、前記外部装置から前記撮像装置に電力が供給されていない場合に前記蓋が開いていることが検出された場合は、前記撮像装置をシャットダウンするための制御を行い、前記外部装置から前記撮像装置に電力が供給されている場合に前記蓋が開いていることが検出された場合は、前記蓋が開いていることが検出された場合における動作を継続するための制御を行う制御手段とを有する。
【発明の効果】
【０００６】
本発明によれば、外部装置から撮像装置に電力が供給されている場合に、動画撮影などの動作を継続しながら電池を外したり交換したりすることができる。
【図面の簡単な説明】
【０００７】
【図１】実施形態１における撮像装置１００の構成の例を説明するための図である。
【図２】実施形態１における撮像装置１００の構成要素を説明するためのブロック図である。
【図３】撮像装置１００がＵＳＢ給電状態で動画撮影中に電池入れ替えを行った場合における撮像装置１００の動作例を説明するための図である。
【図４】撮像装置１００がＵＳＢ給電状態で動画撮影中に電池入れ替えを行った場合における撮像装置１００の動作例を説明するためのフローチャートである。
【発明を実施するための形態】
【０００８】
以下、図面を参照して本発明の実施形態を説明する。ただし、本発明は以下の実施形態に限定されるものではない。
【０００９】
［実施形態１］
図１は、実施形態１における撮像装置１００の構成の例を説明するための図である。
【００１０】
表示部２８は画像や各種情報を表示する表示部である。シャッターボタン６１は撮影指示を行うための操作部である。モード切替スイッチ６０は各種モードを切り替えるための操作部である。コネクタ１１２は、パーソナルコンピュータ、プリンタ、充電専用のＡＣアダプタなどの外部装置と通信・電力供給するための接続ケーブル１１１と撮像装置１００とのコネクタである。操作部７０はユーザからの各種操作を受け付ける各種スイッチ、ボタン、タッチパネルなどの操作部材より成る操作部である。コントローラホイール７３は操作部７０に含まれる回転操作可能な操作部材である。
【００１１】
電源スイッチ７２は、電源オン、電源オフを切り替えるための押しボタンである。記録媒体２００はメモリカードやハードディスクなどの記録媒体である。記録媒体スロット２０１は記録媒体２００を格納するためのスロット（格納部）である。記録媒体スロット２０１に格納された記録媒体２００は、撮像装置１００との通信が可能となり、記録や再生が可能となる。電池２０３は撮像装置１００を動作させるために必要な電力を供給するものである。
【００１２】
電池スロット２０４は電池２０３を格納するためのスロット（格納部）である。蓋２０２は記録媒体スロット２０１の入り口および電池スロット２０４の入り口を覆うための蓋である。図１においては、蓋２０２を開けて記録媒体スロット２０１および電池スロット２０４から記録媒体２００および電池２０３を取り出して露出させた状態を示している。
【００１３】
次に、図２を参照して、実施形態１における撮像装置１００の構成要素の例を説明する。
【００１４】
図２において、レンズユニット１０３はズームレンズ、フォーカスレンズを含むレンズ群である。シャッター１０１は絞り機能を備えるシャッターである。撮像部２２は光学像を電気信号に変換するＣＣＤやＣＭＯＳ素子などで構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、レンズユニット１０３を含む撮像系を覆うことにより、レンズユニット１０３、シャッター１０１、撮像部２２を含む撮像系の汚れや破損を防止する。
【００１５】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１６】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１７】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤなどの表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー表示）を行える。
【００１８】
不揮発性メモリ５６は、電気的に消去・記録可能な記録媒体としてのメモリであり、例えばＥＥＰＲＯＭなどが用いられる。不揮発性メモリ５６には、システム制御部５０の動作用の定数、プログラムなどが記憶される。ここでいう、プログラムとは、実施形態１にて後述する各種フローチャートを実行するためのコンピュータプログラムのことである。
【００１９】
システム制御部５０は、撮像装置１００全体を制御する。前述した不揮発性メモリ５６に記録されたプログラムを実行することで、後述する実施形態１の各処理を実現する。システムメモリ５２には、ＲＡＭが用いられる。システムメモリ５２には、システム制御部５０の動作用の定数、変数、不揮発性メモリ５６から読み出したプログラムなどを展開する。また、システム制御部５０はメモリ３２、Ｄ／Ａ変換器１３、表示部２８などを制御することにより表示制御も行う。
【００２０】
システムタイマー５３は各種制御に用いる時間や、内蔵された時計の時間を計測する計時部である。モード切替スイッチ６０、シャッターボタン６１、操作部７０はシステム制御部５０に各種の動作指示を入力するための操作手段である。モード切替スイッチ６０は、システム制御部５０の動作モードを静止画記録モード、動画撮影モード、再生モードなどのいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。
【００２１】
また、撮影シーン別の撮影設定となる各種シーンモード、プログラムＡＥモード、カスタムモードなどがある。モード切替スイッチ６０で、これらのモードのいずれかに直接切り替えられる。あるいは、モード切替スイッチ６０で撮影モードの一覧画面に一旦切り換えた後に、表示された複数のモードのいずれかを選択し、他の操作部材を用いて切り替えるようにしてもよい。同様に、動画撮影モードにも複数のモードが含まれていてもよい。
【００２２】
第１シャッタースイッチ６２は、撮像装置１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理などの動作を開始する。
【００２３】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２４】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタンなどがある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２５】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０は撮像装置１００の各構成要素を制御する。このパルス信号によって、コントローラホイール７３が回転操作された角度や、何回転したかなどを判定することができる。なお、コントローラホイール７３は回転操作が検出できる操作部材であればどのようなものでもよい。
【００２６】
例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作などを検出するものであってもよい（いわゆる、タッチホイール）。
【００２７】
電源制御部８０は、電池検出回路、ＤＣ−ＤＣコンバータ、通電するブロックを切り替えるスイッチ回路、充電回路などにより構成され、電池の装着の有無、電池の種類、電池残量の検出、電池への充電などを行う。また、電源制御部８０は、その検出結果及びシステム制御部５０の指示に基づいてＤＣ−ＤＣコンバータを制御し、必要な電圧を必要な期間、記録媒体２００を含む撮像装置１００の構成要素に供給する。また同時に受け取った外部電力を電源部３０の充電に用いる。
【００２８】
電源部３０は、アルカリ電池やリチウム電池などの一次電池やＮｉＣｄ電池やＮｉＭＨ電池、Ｌｉ電池などの二次電池、ＡＣアダプタなどからなる。記録媒体Ｉ／Ｆ１８は、メモリカードやハードディスクなどの記録媒体２００とのインターフェースである。記録媒体２００は、撮影された画像を記録するためのメモリカードなどの記録媒体であり、半導体メモリや光ディスク、磁気ディスクなどから構成される。
【００２９】
通信部５４は、無線または有線ケーブルによって接続し、映像信号や音声信号などの送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部装置から画像データやその他の各種情報を受信することができる。
【００３０】
姿勢検知部５５は重力方向に対する撮像装置１００の姿勢を検知する。姿勢検知部５５で検知された姿勢に基づいて、撮像部２２で撮影された画像が、撮像装置１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録したりすることが可能である。姿勢検知部５５としては、加速度センサーやジャイロセンサーなどを用いることができる。
【００３１】
以下、図３および図４を参照して、実施形態１における撮像装置１００の動作例を説明する。
【００３２】
図３（ａ）、図３（ｂ）および図３（ｃ）は、撮像装置１００がＵＳＢ給電状態で動画撮影中に電池入れ替えを行った場合における撮像装置１００の動作例を説明する。図３（ａ）は、撮像装置１００がＵＳＢ給電しながら動画を記録しているときを図示したものである。図３（ｂ）は、図３（ａ）の状態が供給電圧が所定値以上の状態で蓋２０２を開けたときを図示したものである。蓋２０２が開いていることをユーザに通知するため、警告表示を行う。これにより、ユーザが意図せず蓋２０２を開いてしまっている場合には気づくことができる。
【００３３】
また、ＵＳＢ経由での供給電力が撮像装置１００の撮影動作などを継続するのに十分であることから電池がなくても動作可能である。そのため、動画の記録は継続して行われており、この状態のまま電池の挿抜、入れ替えが可能である。
【００３４】
図３（ｃ）は、図３（ａ）の状態が供給電圧が所定値未満の状態で蓋２０２を開けたときを図示したものである。供給電力が撮像装置１００の撮影動作などを継続するのに十分でないため、蓋２０２が開いている旨の警告表示を一定時間行い、ユーザに蓋２０２を閉じることを促す。図３（ａ）の状態で供給電力が低いことはユーザは認知していないこともあり、電池を外すために蓋２０２を開けた場合にも思いとどまり、蓋２０２を閉めることで動画撮影を継続することができる。
【００３５】
次に、図４のフローチャートを参照して、撮像装置１００がＵＳＢ給電状態で動画撮影中に電池入れ替えを行った場合における撮像装置１００の動作例を説明する。
【００３６】
ステップＳ４０１では、システム制御部５０は蓋２０２が開いているか否か判定する。蓋２０２が開いていると判定した場合にはステップＳ４０２に進み、蓋２０２が閉じていると判定した場合には処理を終了する。
【００３７】
ステップＳ４０２では、システム制御部５０はＵＳＢ給電中か否かを判定する。ＵＳＢ給電中と判定した場合にはステップＳ４０３に進み、ＵＳＢ給電中でないと判定した場合にはステップＳ４０７に進む。
【００３８】
ステップＳ４０３では、システム制御部５０は撮像装置１００が動画撮影中であるか否かを判定する。動画撮影中であるとは判定した場合にはステップＳ４０４に進み、動画撮影中でないと判定した場合にはステップＳ４０７に進む。
【００３９】
ステップＳ４０４では、システム制御部５０はＵＳＢ供給電圧が所定の閾値以上であるか否かを判定する。ＵＳＢ供給電圧が閾値以上であると判定した場合にはステップＳ４０８に進み、ＵＳＢ供給電圧が閾値未満と判定した場合にはステップＳ４０５に進む。
【００４０】
ステップＳ４０５では、システム制御部５０は所定時間蓋開き警告表示（図３（ｃ））を行い、ステップＳ４０６に進む。ステップＳ４０６では、システム制御部５０は再び蓋２０２が開いているか否かを判定する。
【００４１】
蓋２０２が開いていると判定した場合にはステップＳ４０７に進み、蓋２０２が閉じていると判定した場合には処理を終了する。ステップＳ４０７では、システム制御部５０は撮像装置１００をシャットダウンさせる。ステップＳ４０８では、システム制御部５０は蓋開き警告表示を行い（図３（ｂ））、処理を終了する。
【００４２】
なお、ステップＳ４０３では、動画撮影中であるか否かを判定したが、画像転送中、静止画撮影中などであってもよい。また、撮像装置１００の状態に関わらず常にステップＳ４０４に進むようにしてもよい。
【００４３】
［実施形態２］
実施形態１で説明した様々な機能、処理または方法は、パーソナルコンピュータ、マイクロコンピュータ、ＣＰＵ（Ｃｅｎｔｒａｌ  Ｐｒｏｃｅｓｓｉｎｇ  Ｕｎｉｔ）、マイクロプロセッサなどがプログラムを用いて実現することもできる。以下、実施形態２では、パーソナルコンピュータ、マイクロコンピュータ、ＣＰＵ（Ｃｅｎｔｒａｌ  Ｐｒｏｃｅｓｓｉｎｇ  Ｕｎｉｔ）、マイクロプロセッサなどを「コンピュータＸ」と呼ぶ。また、実施形態２では、コンピュータＸを制御するためのプログラムであって、実施形態１で説明した様々な機能、処理または方法を実現するためのプログラムを「プログラムＹ」と呼ぶ。
【００４４】
実施形態１で説明した様々な機能、処理または方法は、コンピュータＸがプログラムＹを実行することによって実現される。この場合において、プログラムＹは、コンピュータ読み取り可能な記憶媒体を介してコンピュータＸに供給される。実施形態２におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも一つを含む。実施形態２におけるコンピュータ読み取り可能な記憶媒体は、ｎｏｎ−ｔｒａｎｓｉｔｏｒｙな記憶媒体である。
【符号の説明】
【００４５】
１００  撮像装置
２０２  蓋
２０３  電池
【図１】
2019184901.tif 000003
【図２】
2019184901.tif 000004
【図３】
2019184901.tif 000005
【図４】
2019184901.tif 000006